(57)【要約】    【課題】  吸水性に優れた脱臭マットを提供すること。    【解決手段】  本発明では、脱臭マットにおいて、防水性を有するマット基台の上部に吸水性を有する吸水シートと脱臭性を有する脱臭シートとを順に積層し、脱臭シートに複数の貫通孔を穿設した。また、前記マット基台に前記脱臭シートを支持するための支持突起を形成した。また、前記支持突起の先端面と前記脱臭シートの裏面との間に前記吸水シートを介在させて、前記支持突起によって前記脱臭シートを前記吸水シートを介して支持するように構成した。また、前記マット基台に縁枠を形成し、この縁枠の内側に前記吸水シートと前記脱臭シートとを着脱自在に収容した。さらに、前記脱臭シートの上部に他の吸水性を有する吸水シートを積層した。【選択図】      図１
2006218162.tif 000002
【特許請求の範囲】
【請求項１】
防水性を有するマット基台の上部に吸水性を有する吸水シートと脱臭性を有する脱臭シートとを順に積層し、脱臭シートに複数の貫通孔を穿設したことを特徴とする脱臭マット。
【請求項２】
前記マット基台に前記脱臭シートを支持するための支持突起を形成したことを特徴とする請求項１に記載の脱臭マット。
【請求項３】
前記支持突起の先端面と前記脱臭シートの裏面との間に前記吸水シートを介在させて、前記支持突起によって前記脱臭シートを前記吸水シートを介して支持するように構成したことを特徴とする請求項１又は請求項２に記載の脱臭マット。
【請求項４】
前記マット基台に縁枠を形成し、この縁枠の内側に前記吸水シートと前記脱臭シートとを着脱自在に収容したことを特徴とする請求項１〜請求項３のいずれかに記載の脱臭マット。
【請求項５】
前記脱臭シートの上部に他の吸水性を有する吸水シートを積層したことを特徴とする請求項１〜請求項４のいずれかに記載の脱臭マット。
【発明の詳細な説明】
【技術分野】
【０００１】
本発明は、脱臭マットに関するものである。
【背景技術】
【０００２】
従来より、キッチンやトイレなどの悪臭を伴う汚水が床上に飛散するおそれのある場所では、床上にマットを敷き、このマットで汚水を吸水することによって、床上に汚水が直接飛散したり床内に汚水が浸透してしまうのを防止していた。
【０００３】
このマットは、悪臭を伴う汚水を吸水するために、長期間の使用によってマット自体から悪臭が放出されてしまうおそれがある。
【０００４】
そこで、マットとして活性炭のように脱臭機能を有する脱臭シートを使用して、この脱臭シートで汚水を吸水するとともに脱臭するように構成することも考えられる。
【０００５】
この脱臭シートは、紙や不織布などの繊維に活性炭などの脱臭剤を樹脂などのバインダーで固着させたり、繊維の製造過程で脱臭剤をも同時に抄いて製造されている（たとえば、特許文献１参照。）。
【特許文献１】特開２００２−２６３４８１号公報
【発明の開示】
【発明が解決しようとする課題】
【０００６】
ところが、上記従来の脱臭シートは、脱臭機能を向上させるために脱臭剤の含有量を増加すると、繊維内部で脱臭剤の密度が増大して、かえって脱臭シート自体の有する吸水機能が低減してしまうといった不具合があった。
【０００７】
そのため、脱臭機能を向上させた脱臭シートをそのままマットに使用すると、マットの表面で汚水を弾いてしまい、マットに本来要求されていた汚水の吸着が行えなくなるおそれがあった。
【０００８】
しかも、汚水がマットの内部に浸透せずに表面に水滴として残留してしまうと、マットの表面が滑りやすくなり、マットの上部で転倒して怪我をしてしまうおそれがあった。
【課題を解決するための手段】
【０００９】
そこで、請求項１に係る本発明では、脱臭マットにおいて、防水性を有するマット基台の上部に吸水性を有する吸水シートと脱臭性を有する脱臭シートとを順に積層し、脱臭シートに複数の貫通孔を穿設することにした。
【００１０】
また、請求項２に係る本発明では、前記請求項１に係る本発明において、前記マット基台に前記脱臭シートを支持するための支持突起を形成することにした。
【００１１】
また、請求項３に係る本発明では、前記請求項１又は請求項２に係る本発明において、前記支持突起の先端面と前記脱臭シートの裏面との間に前記吸水シートを介在させて、前記支持突起によって前記脱臭シートを前記吸水シートを介して支持するように構成することにした。
【００１２】
また、請求項４に係る本発明では、前記請求項１〜請求項３のいずれかに係る本発明において、前記マット基台に縁枠を形成し、この縁枠の内側に前記吸水シートと前記脱臭シートとを着脱自在に収容することにした。
【００１３】
また、請求項５に係る本発明では、前記請求項１〜請求項４のいずれかに係る本発明において、前記脱臭シートの上部に他の吸水性を有する吸水シートを積層することにした。
【発明の効果】
【００１４】
そして、本発明では、以下に記載する効果を奏する。
【００１５】
すなわち、請求項１に係る本発明では、脱臭マットにおいて、防水性を有するマット基台の上部に吸水性を有する吸水シートと脱臭性を有する脱臭シートとを順に積層し、脱臭シートに複数の貫通孔を穿設することにしているために、脱臭剤を高密度で含有させた脱臭シートを用いても、脱臭シートに設けた貫通孔から下層の吸水シートへと汚水が流下するため、脱臭シートの表面に汚水が残留して悪臭を放出するのを防止することができる。
【００１６】
また、請求項２に係る本発明では、マット基台に脱臭シートを支持するための支持突起を形成することにしているために、脱臭マットの表面を押圧されたときに吸水シートに吸着された汚水がマットの表面に逆流してしまうのを防止することができる。
【００１７】
また、請求項３に係る本発明では、支持突起の先端面と脱臭シートの裏面との間に吸水シートを介在させて、支持突起によって脱臭シートを吸水シートを介して支持するように構成することにしているために、吸水シートが緩衝材として機能することになるので、脱臭マットの表面を押圧したときに支持突起が脱臭シートを突き破ってしまうのを防止することができる。
【００１８】
また、請求項４に係る本発明では、マット基台に縁枠を形成し、この縁枠の内側に吸水シートと脱臭シートとを着脱自在に収容することにしているために、長期間の使用によって汚れた吸水シートや脱臭シートを容易に交換することができる。
【００１９】
また、請求項５に係る本発明では、脱臭シートの上部に他の吸水性を有する吸水シートを積層することにしているために、仮に脱臭シートに形成した孔から下層の吸水シートへ流下せずに脱臭シートの表面に残留する汚水が発生したとしても、その残留汚水を上層の吸水シートで吸着することができ、残留汚水に起因するマット表面での転倒を防止することができる。
【発明を実施するための最良の形態】
【００２０】
以下に、本発明に係る脱臭マットの具体的な構造について図面を参照しながら説明する。
【００２１】
図１〜図３に示すように、脱臭マット１は、マット基台２とマット本体３とから構成している。
【００２２】
マット基台２は、防水性を有するゴム素材を成型したもので、矩形板状の台座４の周縁部に矩形枠状の縁枠５を一体的に形成して、この縁枠５の内側にマット本体３を収容するための収容空間を形成している。
【００２３】
また、マット基台２は、台座４の上部に円柱状の支持突起６を縦横に所定の間隔をあけて立設している。
【００２４】
マット本体３は、吸水性を有する紙製の第１の吸水シート７と脱臭性を有する脱臭シート８と吸水性を有する多孔質素材（スポンジ）の第２の吸水シート９をこの順に上から積層して構成している。なお、マット本体３は、これらの第１の吸水シート７と脱臭シート８と第２の吸水シート９とを一体的に接着したものでもよく、また、分離可能に単に重ね合わせたものでもよい。
【００２５】
ここで、脱臭シート８は、紙繊維の内部に粉末状の活性炭を高密度に担持させたものであり、脱臭機能を有する一方、表面で撥水機能を有している。
【００２６】
この脱臭シート８は、表面に複数個の表裏に連通する貫通孔10を縦横に間隔をあけて穿設している。この貫通孔10の縦横の間隔（ピッチ）は、支持突起６の縦横の間隔（ピッチ）とは異ならせている。これは、貫通孔10と支持突起６とを同一ピッチにすると、支持突起６が貫通孔10に突き刺さってしまうおそれがあるからである。
【００２７】
また、第２の吸水シート９は、矩形板状のスポンジで形成しているが、図４に示すように、一枚の不織布11を３重に折り重ねたものでもよい。
【００２８】
そして、脱臭マット１は、マット基台２の縁枠５の内側にマット本体３を着脱自在に載置している。
【００２９】
このマット本体３をマット基台２に収容した状態では、図２及び図３に示すように、支持突起６の上部で第２の吸水シート９が弾性変形して圧縮された状態となり、その上部に脱臭シート８が載置される。
【００３０】
すなわち、脱臭マット１は、マット基台２の縁枠５の内側の収容空間に形成した支持突起６によって脱臭シート８を支持しており、しかも、支持突起６の先端面と脱臭シート８の裏面との間に第２の吸水シート９が介在され、支持突起６によって脱臭シート８を第２の吸水シート９を介して支持するように構成している。
【００３１】
ここで、脱臭マット１は、図５に示すように、第２の吸水シート９にも支持突起６と対応する位置に表裏に貫通する貫通孔12を穿設しておき、その貫通孔12に支持突起６を挿通させて、脱臭シート８を支持突起６で直接支持するようにしてもよい。
【００３２】
このように、脱臭マット１は、支持突起６で第２の吸水シート９を部分的に圧縮した状態でマット基台２にマット本体３を収容した場合には、マット基台２に対してマット本体３がずれるのを防止することができ、また、第２の吸水シート９に支持突起６を挿通する貫通孔12を穿設した場合には、マット基台２に対して第２の吸水シート９がずれるのを防止することができるとともに、第２の防水シート９を正規の位置に収容することができる。
【００３３】
脱臭マット１は、以上に説明したように構成しており、以下に説明するような特徴を有している。
【００３４】
すなわち、上記脱臭マット１は、防水性を有するマット基台２の上部に吸水性を有する第２の吸水シート９と脱臭性を有する脱臭シート８とを順に積層している。
【００３５】
そのため、脱臭シート８の脱臭機能を向上させるために脱臭剤の密度が高い脱臭シート８を使用すると、脱臭剤の密度の増大に伴って脱臭シート８の吸水機能が低下し、脱臭シート８の表面で撥水機能を有するようになり、脱臭シート８の表面に残留した汚水によって悪臭が発生したり、残留した汚水によって表面が滑りやすくなってしまう。
【００３６】
そこで、上記脱臭マット１では、脱臭シート８に複数の貫通孔10を穿設して、この貫通孔10から下層の第２の吸水シート９へと汚水を流下させるようにしている。
【００３７】
これにより、上記脱臭マット１では、脱臭剤を高密度で含有させた脱臭シート８を用いても、脱臭シート８に設けた貫通孔10から下層の第２の吸水シート９へと汚水が円滑に流下し、脱臭シート８の表面に汚水が残留して悪臭を放出したり、表面が滑り易くなってしまうのを防止している。
【００３８】
また、脱臭マット１は、第２の吸水シート９で汚水などの水分を吸収するようにしているために、マット本体３に荷重（体重）がかかってその荷重で第２の吸水シート９が押圧されてしまうと、第２の吸水シート９で吸収した水分が逆に脱臭シート８の貫通孔10を通して表面側に流れ出てしまうおそれがある。
【００３９】
そこで、上記脱臭マット１では、マット基台２に支持突起６を形成し、この支持突起６で脱臭シート８を支持するようにしている。
【００４０】
そのため、上記脱臭マット１では、支持突起６によってマット基台２の表面と脱臭シート８の裏面との間に第２の吸水シート９を収容するための支持突起６の高さ分の間隔が確保される。
【００４１】
これにより、上記脱臭マット１では、マット本体３に荷重がかかっても、その荷重を支持突起６で受けることができ、脱臭シート８の表面を押圧されたときに生じるおそれのある第２の吸水シート９から脱臭シート８への汚水の逆流を未然に防止することができる。
【００４２】
また、上記したようにマット基台２に設けた支持突起６で脱臭シート８を支持した場合には、支持突起６が存在しない場所にかかった荷重によって支持突起６が脱臭シート８を突き破ってしまうおそれがある。
【００４３】
そこで、上記脱臭マット１では、支持突起６の先端面と脱臭シート８の裏面との間に第２の吸水シート９を介在させて、支持突起６によって脱臭シート８を第２の吸水シート９を介して支持するように構成している。
【００４４】
これにより、上記脱臭マット１では、支持突起６の先端面と脱臭シート８の裏面との間に介在させた第２の吸水シート９が緩衝材や補強材として機能することになり、脱臭シート８の表面を押圧したときに生じるおそれのある支持突起６による脱臭シート８の突き破りを未然に防止することができる。
【００４５】
また、上記脱臭マット１は、マット基台２に縁枠５を形成し、この縁枠５の内側にマット本体３（第１の吸水シート７と脱臭シート８と第２の吸水シート９）を着脱自在に収容している。
【００４６】
そのため、上記脱臭マット１では、長期間の使用によって汚れたマット本体３を容易に交換することができる。
【００４７】
特に、マット本体３を第１の吸水シート７と脱臭シート８と第２の吸水シート９とに分離できるように構成した場合には、各シート7,8,9ごとに容易に交換することができる。
【００４８】
また、上記脱臭マット１は、脱臭シート８の上部に第１の吸水シート７を積層している。
【００４９】
そのため、上記脱臭マット１では、脱臭シート８の表面に付着した水滴は、第１の吸水シート７で一旦吸収され、その後、脱臭シート８の貫通孔10を通って第２の吸水シート９へと流下することになるので、脱臭シート８の表面に水滴が残留することがなく、この残留水滴による脱臭マット１の表面での転倒を未然に防止することができる。
【００５０】
特に、第１の吸水シート７として透過性のシートを用い、表面にメッセージや店名や模様を描いた場合には、脱臭シート８の表面色が背景となった表面模様を表出させることができ、脱臭マット１の美観を向上させることができる。
【図面の簡単な説明】
【００５１】
【図１】本発明に係る脱臭マットを示す分解斜視図。
【図２】同一部切欠拡大断面図。
【図３】同断面図。
【図４】吸水シートを折り畳んだ場合の脱臭マットの断面図。
【図５】吸水シートに貫通孔を形成した場合の脱臭マットの断面図。
【符号の説明】
【００５２】
１  脱臭マット                          ２  マット基台
３  マット本体                          ４  台座
５  縁枠                                ６  支持突起
７  第１の吸水シート                    ８  脱臭シート
９  第２の吸水シート                    10  貫通孔
11  不織布                              12  貫通孔
【図１】
2006218162.tif 000003
【図２】
2006218162.tif 000004
【図３】
2006218162.tif 000005
【図４】
2006218162.tif 000006
【図５】
2006218162.tif 000007